(57)【要約】【課題】薄型光ディスクドライブに応用されるスピンドルモーターを提供する。【解決手段】該モーターは、ローターと、ステーターと、ローターが覆う範囲内にあり、スピンドルモーターに用いられる電子素子及び外部回路素子に連接するのに用いられる複数の電接点を備える回路板と、回路板を固定するのに用いられ、回路板の複数の電接点に対応する位置にあり、複数の電接点と外部回路素子の電気的接続に必要な空間である一領域を備える取付板とからなる。【選択図】  図２
0003101907.tif 000002
【実用新案登録請求の範囲】
【請求項１】
ローター、ステーター、回路板、取付板からなる薄型光ディスクデバイスのスピンドルモーターであって、
前記スピンドルモーターに用いられる電子素子及び外部回路素子に連接するのに用いられる複数の電接点を備える回路板と、
前記回路板を固定するのに用いられ、前記回路板の複数の電接点に対応する位置にあり、前記複数の電接点と前記外部回路素子の電気的接続に必要な空間である一領域を備える少なくとも一つの取付板と、
からなることを特徴とする光ディスクドライブのスピンドルモーター。
【請求項２】
前記取付板は、前記ローターが覆う範囲内にあることを特徴とする請求項１に記載の光ディスクドライブのスピンドルモーター。  
【請求項３】
前記スピンドルモーターは、厚さが５〜１７ミリの薄型光ディスクデバイスに応用されることを特徴とする請求項１に記載の光ディスクドライブのスピンドルモーター。
【請求項４】
前記取付板は欠落領域を設け、前記欠落領域は、前記回路板の複数の電接点の位置に対応していることを特徴とする請求項１に記載の光ディスクドライブのスピンドルモーター。
【請求項５】
前記欠落領域は、前記取付板の周縁に位置することを特徴とする請求項４に記載の光ディスクドライブのスピンドルモーター。
【請求項６】
前記欠落領域は、前記取付板内に位置することを特徴とする請求項４に記載の光ディスクドライブのスピンドルモーター。  
【請求項７】
前記取付板は、凹型領域を形成し、前記凹型領域は、前記取付板の周縁に形成され、前記回路板の複数の電接点の位置に対応していることを特徴とする請求項１に記載の光ディスクドライブのスピンドルモーター。
【請求項８】
ローター、ステーター、回路板、取付板からなる薄型光ディスクデバイスのスピンドルモーターであって、
前記スピンドルモーターに用いられる電子素子及び外部回路素子に連接するのに用いられる複数の電接点を備える回路板と、
前記回路板を固定するのに用いられ、周縁に欠落領域を設け、前記欠落領域が前記回路板の複数の電接点に対応する位置にあり、前記複数の電接点と前記外部回路素子の電気的接続に必要とされる少なくとも一つの取付板と、
からなることを特徴とする光ディスクドライブのスピンドルモーター。  
【請求項９】
ローター、ステーター、回路板、取付板からなる薄型光ディスクデバイスのスピンドルモーターであって、
前記スピンドルモーターに用いられる電子素子及び外部回路素子に連接するのに用いられる複数の電接点を備える回路板と、
前記回路板を固定するのに用いられ、内側に欠落領域を設け、前記欠落領域が前記回路板の複数の電接点に対応する位置にあり、前記複数の電接点と前記外部回路素子の電気的接続に必要とされる少なくとも一つの取付板と、
からなることを特徴とする光ディスクドライブのスピンドルモーター。
【請求項１０】
ローター、ステーター、回路板、取付板からなる薄型光ディスクデバイスのスピンドルモーターであって、
前記スピンドルモーターに用いられる電子素子及び外部回路素子に連接するのに用いられる複数の電接点を備える回路板と、
前記回路板を固定するのに用いられ、周縁に凹型領域を設け、前記凹型領域が前記回路板の複数の電接点に対応する位置にあり、前記複数の電接点と前記外部回路素子の電気的接続に必要とされる少なくとも一つの取付板と、
からなることを特徴とする光ディスクドライブのスピンドルモーター。
【考案の詳細な説明】
【技術分野】
【０００１】
本考案は、スピンドルモーターに関するものであって、特に、薄型光ディスクドライブに応用されるスピンドルモーターに関するものである。
【背景技術】
【０００２】
従来の薄型光ディスクドライブに応用されるスピンドルモーターは、例えば、特許文献１に示されるような構造が知られている。図１は、公知技術によるスピンドルモーターの構造図である。
該スピンドルモーター１は、主に、ローター１１、ステーター１３、回路板１５、及び取付板１７、からなり、該回路板１５は、複数の電子素子１５ａ、及び、複数の電接点１５ｂを含む。スピンドルモーター１は、どれも、例えば、ケーブル線などの外部回路素子３を利用して、複数の電接点１５ｂと電気的に接続し、電気信号を外部回路素子３、複数の電接点１５ｂ、及び電子素子１５ａに通過させ、ステーター１３の電磁場の変化を進行して、ローター１１を回転させなければならない。回路板１５は、ローター１１、或いは、ステーター１３が覆う範囲に相対して大面積で製造され、且つ、複数の電接点１５ｂを備える部分の回路板が突出状態を呈現させ、従来の構造下のスピンドルモーター１は回路板１５にかなりの空間を占有されるため、スピンドルモーター１は、該構造下で、軽、薄、短、小の要求を達成することが困難である。
【特許文献１】特開２００３-１５１１９９
【考案の開示】
【考案が解決しようとする課題】
【０００３】
上述の欠点を克服するため、本考案の目的は、スピンドルモーターを、軽、薄、短、小の特性を具備し、薄型光ディスクドライブの小型化することが可能な薄型光ディスクドライブのスピンドルモーターを提供することである。
【課題を解決するための手段】
【０００４】
上述の目的を達成するため、本考案は、薄型光ディスクドライブに応用されるスピンドルモーターを提供し、該モーターは、ローターと、ステーターと、ローターが覆う範囲内にあり、スピンドルモーターに用いられる電子素子及び外部回路素子に連接するのに用いられる複数の電接点を備える回路板と、回路板を固定するのに用いられ、回路板の複数の電接点に対応する位置にあり、複数の電接点と外部回路素子の電気的接続に必要な空間である一領域を備える取付板とからなる。
【０００５】
すなわち、請求項１の考案は、ローター、ステーター、回路板、取付板からなる薄型光ディスクデバイスのスピンドルモーターであって、前記スピンドルモーターに用いられる電子素子及び外部回路素子に連接するのに用いられる複数の電接点を備える回路板と、前記回路板を固定するのに用いられ、前記回路板の複数の電接点に対応する位置にあり、前記複数の電接点と前記外部回路素子の電気的接続に必要な空間である一領域を備える少なくとも一つの取付板と、からなることを特徴とする光ディスクドライブのスピンドルモーターである。
請求項２の考案は、前記取付板は、前記ローターが覆う範囲内にあることを特徴とする請求項１に記載の光ディスクドライブのスピンドルモーターである。  
請求項３の考案は、前記スピンドルモーターは、厚さが５〜１７ミリの薄型光ディスクデバイスに応用されることを特徴とする請求項１に記載の光ディスクドライブのスピンドルモーターである。
請求項４の考案は、前記取付板は欠落領域を設け、前記欠落領域は、前記回路板の複数の電接点の位置に対応していることを特徴とする請求項１に記載の光ディスクドライブのスピンドルモーターである。
請求項５の考案は、前記欠落領域は、前記取付板の周縁に位置することを特徴とする請求項４に記載の光ディスクドライブのスピンドルモーターである。
請求項６の考案は、前記欠落領域は、前記取付板内に位置することを特徴とする請求項４に記載の光ディスクドライブのスピンドルモーターである。  
請求項７の考案は、前記取付板は、凹型領域を形成し、前記凹型領域は、前記取付板の周縁に形成され、前記回路板の複数の電接点の位置に対応していることを特徴とする請求項１に記載の光ディスクドライブのスピンドルモーターである。
【０００６】
請求項８の考案は、ローター、ステーター、回路板、取付板からなる薄型光ディスクデバイスのスピンドルモーターであって、前記スピンドルモーターに用いられる電子素子及び外部回路素子に連接するのに用いられる複数の電接点を備える回路板と、前記回路板を固定するのに用いられ、周縁に欠落領域を設け、前記欠落領域が前記回路板の複数の電接点に対応する位置にあり、前記複数の電接点と前記外部回路素子の電気的接続に必要とされる少なくとも一つの取付板と、からなることを特徴とする光ディスクドライブのスピンドルモーターである。  
【０００７】
請求項９の考案は、ローター、ステーター、回路板、取付板からなる薄型光ディスクデバイスのスピンドルモーターであって、前記スピンドルモーターに用いられる電子素子及び外部回路素子に連接するのに用いられる複数の電接点を備える回路板と、前記回路板を固定するのに用いられ、内側に欠落領域を設け、前記欠落領域が前記回路板の複数の電接点に対応する位置にあり、前記複数の電接点と前記外部回路素子の電気的接続に必要とされる少なくとも一つの取付板と、からなることを特徴とする光ディスクドライブのスピンドルモーターである。
【０００８】
請求項１０の考案は、ローター、ステーター、回路板、取付板からなる薄型光ディスクデバイスのスピンドルモーターであって、前記スピンドルモーターに用いられる電子素子及び外部回路素子に連接するのに用いられる複数の電接点を備える回路板と、前記回路板を固定するのに用いられ、周縁に凹型領域を設け、前記凹型領域が前記回路板の複数の電接点に対応する位置にあり、前記複数の電接点と前記外部回路素子の電気的接続に必要とされる少なくとも一つの取付板と、からなることを特徴とする光ディスクドライブのスピンドルモーターである。
【考案の効果】
【０００９】
本考案によって得られるスピンドルモーターは、軽、薄、短、小の特性を具備し、薄型光ディスクドライブの小型化をより可能にするという効果が得られる。
【考案を実施するための最良の形態】
【００１０】
本考案の実施例を図面に沿って説明する。
本考案は、図２に示すように、スピンドルモーター２が主に薄型光ディスクドライブに応用されるもので、例えば、ノート型パソコン、タブレットＰＣ等のデータ処理電子装置は、軽、薄、短、小型化が要求され、この種の電子装置内部に装着される薄型ディスクドライブも、軽、薄、短、小型化が求められて、データ処理電子装置内の空間を出来る限り占領しないようにすることが求められる。
本考案のスピンドルモーター２は、ローター、ステーター、回路板、取付板からなり、ローター２１、ステーター２３は従来の構造のローター、ステーターと同じ構成である。
ローター２１が覆う範囲内に回路板２５があり、回路板２５上に、スピンドルモーター２に用いられる複数の電子素子２５ａと外部回路素子３に連接するのに用いられる複数の電接点２５ｂを溶接している。回路板２５の材質は、一般のプリント回路板と同じ材質である。回路板２５に固定される少なくとも一つの取付板２７は、金属、或いは堅硬な材質からなり、取付板２７は、回路板２５上の複数の電接点２５ｂに対応する位置に、一領域２７ａを設け、複数の電接点２５ｂと外部回路素子３の電気的接続に必要な空間を提供している。
図２は、本考案の第１実施例であり、第１実施例による薄型光ディスクドライブのスピンドルモーターを示した説明図である。
該スピンドルモーター２は、取付板２７の周縁に欠落領域２７ａを設け、欠落領域２７ａと回路板２５の複数の電接点２５ｂの位置は対応している。よって、例えば、ケーブル線、或いは、軟性回路板等の外部回路素子３は、欠落領域２７ａの空間で、溶接、或いは、その他の電気的接続の方法により、複数の電接点２５ｂと接触することが出来る。第１実施例の回路板２５の尺寸は、好ましくは、ローター２１が覆う範囲内であり、つまり、回路板２５は、ローター２１が覆う範囲を超過しない範囲である。
図３は、本考案の第１実施例によるもう一つの薄型光ディスクドライブのスピンドルモーターを示した説明図である。図３と図２のスピンドルモーター２との差異は、複数の電接点２５ｂが回路板２５上に設置される位置が異なることである。図２の複数の電接点２５ｂは回路板２５の背面に、図３の複数の電接点２５ｂは回路板２５の正面に設置されている。
【００１１】
図４は、本考案の第２実施例による薄型光ディスクドライブのスピンドルモーターを示した説明図である。該スピンドルモーター２は、取付板２７内に欠落領域２７ａを設け、欠落領域２７ａと回路板２５の複数の電接点２５ｂの位置は対応している。よって、例えば、ケーブル線、或いは、軟性回路板等の外部回路素子３は、欠落領域２７ａの空間で、溶接、或いは、その他の電気的接続の方法により、複数の電接点２５ｂと接触することが出来る。同様に、第２実施例の回路板２５の尺寸は、好ましくは、ローター２１が覆う範囲内であり、つまり、回路板２５は、ローター２１が覆う範囲を超過しない範囲である。
【００１２】
図５は、本考案の第３実施例による薄型光ディスクドライブのスピンドルモーターを示した説明図である。該スピンドルモーター２は、取付板２７内に凹型領域２７ａを設け、凹型領域２７ａと回路板２５の複数の電接点２５ｂの位置は対応している。よって、例えば、ケーブル線、或いは、軟性回路板等の外部回路素子３は、凹型領域２７ａの空間に進入し、複数の電接点２５ｂと接触して、電気的接続の目的を達成する。同様に、第３実施例の回路板２５の尺寸は、好ましくは、ローター２１が覆う範囲内であり、つまり、回路板２５は、ローター２１が覆う範囲を超過しない範囲である。
図６は、本考案の第３実施例と外部回路素子を連接した構造図である。取付板２７の複数の欠落領域２７ａの空間により、回路板２５の複数の電接点２５ｂと電気的接続が一緒になる。
【００１３】
本考案の実施例のスピンドルモーター２は、外部回路素子３と複数の電接点２５ｂの電気的接続接触の因素で、回路板が外側にスピンドルモーターを拡張して、体積を増大させてしまうという公知技術の問題点を克服するものである。よって、本考案のスピンドルモーターは、５ミリから１７ミリの薄型光ディスクデバイスへの応用に適している。
本考案の第１実施例から第３実施例では、説明を簡潔にするために、回路板２５と取付板２７の固定手段を示していないが、本考案は公知技術を利用し、例えば、ねじとねじ穴による固定手段により、回路板２５と取付板２７とを固定する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができることは勿論である。
【図面の簡単な説明】
【００１４】
【図１】公知技術によるスピンドルモーターの構造図である。
【図２】本考案の第１実施例による薄型光ディスクドライブのスピンドルモーターを示した説明図である。
【図３】本考案の第１実施例によるもう一つの薄型光ディスクドライブのスピンドルモーターを示した説明図である。
【図４】本考案の第２実施例による薄型光ディスクドライブのスピンドルモーターを示した説明図である。
【図５】本考案の第３実施例による薄型光ディスクドライブのスピンドルモーターを示した説明図である。
【図６】本考案の第１実施例と外部回路素子を連接した構造図である。
【符号の説明】
【００１５】
１、２…スピンドルモーター
３…外部回路素子
１１、２１…ローター
１３、２３…ステーター
１５、２５…回路板
１５ａ、２５ａ…電子素子
１５ｂ、２５ｂ…電接点
１７、２７…取付板
２７ａ…欠落領域、凹型領域
【図１】
0003101907.tif 000003
【図２】
0003101907.tif 000004
【図３】
0003101907.tif 000005
【図４】
0003101907.tif 000006
【図５】
0003101907.tif 000007
【図６】
0003101907.tif 000008